(57)【要約】      （修正有）【課題】照明範囲が調節可能な自撮り補光ライトを提供する。【解決手段】補光箱１７には光源装置１００が設けられ、光源装置１００は補光箱１７の左側端面に固定的に設置された複数組の固定ライト２２とスライド可能の調節ライト２１とを含み、補光箱１７の中には調節チャンバ１９が設けられ、調節チャンバ１９には調節ライト２１と連結された第一斜めブロック２４が設けられ、支持台１０の中には環状ノブ１２が設けられる。環状ノブ１２を回転すると傘歯車１６，２０を経て第二斜めブロック２３が回転し、第二斜めブロック２３に当接している第一斜めブロック２４が伸び出すことにより調節ライト２１が伸び出す。固定装置４００によりスマートホンに固定される。【選択図】図１
2020177207.tif 000002
【特許請求の範囲】
【請求項１】
正面視で、支持台と前記支持台の上端に設置された補光箱とを含み、前記補光箱には光源装置が設けられ、前記光源装置は前記補光箱の左側端面に固定的に設置された複数組の固定ライトとスライド可能の調節ライトとを含み、前記補光箱の中には調節チャンバが設けられ、前記調節チャンバには前記調節ライトと連結された第一斜めブロックが設けられ、前記支持台の中にはノブチャンバが設けられ、前記ノブチャンバの中には調節装置が設けられ、前記調節装置は環状ノブと、第二斜めブロックとを含み、前記環状ノブを回す時に前記第二斜めブロックを回転連動させ、これにより前記第一斜めブロックをプッシュして運動させ、前記調節ライトを調整し、前記支持台の中には復帰装置が設けられ、前記復帰装置と前記調節装置とが係合され、前記復帰装置を調節することにより前記環状ノブを復帰させ、これにより前記調節ライトを復帰連動させ、前記支持台の中には固定装置が設けられ、前記固定装置の中には吸着ブロックが設けられることを特徴とする調節可能の自撮り補光ライト。
【請求項２】
前記補光箱の左側端面の中には複数の第一スライド溝が設けられ、前記第一スライド溝の左側内壁には第二スライド溝が設けられ、前記第二スライド溝の中にはスライドブロックがスライドできるように設けられ、前記スライドブロックと前記第二スライド溝の底壁との間には押圧バネが固定的に設けられ、前記スライドブロックの左側端面には調節ブロックが固定的に設けられ、前記調節ブロックの左側端面には前記調節ライトが固定的に設けられ、前記第一斜めブロックと前記調節ブロックとが固定的に連結されることを特徴とする請求項１に記載の調節可能の自撮り補光ライト。
【請求項３】
前記調節装置は前記調節チャンバの右側内壁に回転できるように設けられた回転軸を含み、前記回転軸には上傘歯車が固定的に設けられ、前記回転軸には数量が前記第一斜めブロックの数量と同じである前記第二斜めブロックが固定的に設けられ、前記第二斜めブロックと前記第一斜めブロックとが当接しており、前記調節チャンバの底壁には調節軸が回転できるように設けられ、前記調節軸の上端には前記上傘歯車と噛合した下傘歯車が固定的に設けられ、前記調節チャンバの底壁にはトーションバネが固定的に設けられ、前記トーションバネの上端と前記調節軸の外円周面とが固定的に連結され、前記ノブチャンバの頂壁には第三スライド溝が設けられ、前記第三スライド溝の中には前記環状ノブがスライドできるように設けられ、前記環状ノブの中には中間板が固定的に設けられ、前記調節軸の下端が前記ノブチャンバの中に伸びて前記中間板の上端面と固定的に連結されることを特徴とする請求項１に記載の調節可能の自撮り補光ライト。
【請求項４】
前記復帰装置は前記支持台の中に設けられたツース盤チャンバを含み、前記ツース盤チャンバと前記ノブチャンバとが連通しており、前記ツース盤チャンバの中には前記環状ノブの下端面に固定的に連結された上歯ブロックが設けられ、前記ツース盤チャンバの底壁の中には下引き溝が設けられ、前記下引き溝の中には下引きロッドがスライドできるように設けられ、前記ツース盤チャンバの中には下引きロッドがスライドできるように設けられ、前記ツース盤チャンバの中には前記下引きロッドの上端に固定的に連結されたツース盤が設けられ、前記ツース盤の上端面には前記上歯ブロックと噛合した下ラックが固定的に設けられ、前記下引きロッドの下端面と前記下引き溝の底壁との間が復帰バネにより固定的に連結され、前記支持台の中には前記下引き溝と連通した連通チャンバが設けられ、前記支持台の左側端面の中には前記連通チャンバと連通している板スライド溝が設けられ、前記板スライド溝の中には復帰板がスライドできるように設けられ、前記連通チャンバの中には両端がそれぞれに前記復帰板と前記下引きロッドとに固定的に連結された連結ロッドが設けられることを特徴とする請求項１に記載の調節可能の自撮り補光ライト。
【請求項５】
前記固定装置は前記支持台の左側端面に設けられた収納チャンバを含み、前記収納チャンバの右側内壁には回転軸が回転できるように設けられ、前記回転軸には吸着ブロックが固定的に設けられることを特徴とする請求項１に記載の調節可能の自撮り補光ライト。
【発明の詳細な説明】
【技術分野】
【０００１】
本発明は補光ライト分野を取り上げて、具体的には調節可能の自撮り補光ライトである。
【背景技術】
【０００２】
スマホンの普及と共に、人々が自撮りに対する要求もより高くなり、しかし一部分の特殊な場所で、例えばカラオケや、ディスコテークや、静かな小道などでは、光が足りなく、こういう暗い場所で撮った写真に皮膚が黒ずんでざらざらに見え、また写真がはっきりしなく、細かいところがなく、人全体が気質を失い、充分の光がある環境では、白い皮膚により他の不細工なところの影響が減り、顔にあるそばかすや痘痕などのマイナスポイントを弱化でき、そのため、自撮り補光ライトが誕生し、伝統的なスマホ自撮り補光ライトは一般的に固定範囲内の補光を完成することしかできなく、範囲調節ができなく、上記の不足により自撮り補光ライトを提出する。
【先行技術文献】
【特許文献】
【０００３】
【特許文献１】中国特許出願公開第105276471号明細書
【発明の概要】
【発明が解決しようとする課題】
【０００４】
本発明の目的は調節可能の自撮り補光ライトを提供し、それは上記の現在の技術中の問題を解決できる。
【課題を解決するための手段】
【０００５】
本発明装置の調節可能の自撮り補光ライトは、支持台と前記支持台の上端に設置された補光箱とを含み、前記補光箱には光源装置が設けられ、前記光源装置は前記補光箱の左側端面に固定的に設置された複数組の固定ライトとスライド可能の調節ライトとを含み、前記補光箱の中には調節チャンバが設けられ、前記調節チャンバには前記調節ライトと連結された第一斜めブロックが設けられ、前記支持台の中にはノブチャンバが設けられ、前記ノブチャンバの中には調節装置が設けられ、前記調節装置は環状ノブと、第二斜めブロックとを含み、前記環状ノブを回す時に前記第二斜めブロックを回転連動させ、これにより前記第一斜めブロックをプッシュして運動させ、前記調節ライトを調整し、前記支持台の中には復帰装置が設けられ、前記復帰装置と前記調節装置とが係合され、前記復帰装置を調節することにより前記環状ノブを復帰させ、これにより前記調節ライトを復帰連動させ、前記支持台の中には固定装置が設けられ、前記固定装置の中には吸着ブロックが設けられる。
【０００６】
優選の技術プランとして、前記補光箱の左側端面の中には複数の第一スライド溝が設けられ、前記第一スライド溝の左側内壁には第二スライド溝が設けられ、前記第二スライド溝の中にはスライドブロックがスライドできるように設けられ、前記スライドブロックと前記第二スライド溝の底壁との間には押圧バネが固定的に設けられ、前記スライドブロックの左側端面には調節ブロックが固定的に設けられ、前記調節ブロックの左側端面には前記調節ライトが固定的に設けられ、前記第一斜めブロックと前記調節ブロックとが固定的に連結される。
【０００７】
優選の技術プランとして、前記調節装置は前記調節チャンバの右側内壁に回転できるように設けられた回転軸を含み、前記回転軸には上傘歯車が固定的に設けられ、前記回転軸には数量が前記第一斜めブロックの数量と同じである前記第二斜めブロックが固定的に設けられ、前記第二斜めブロックと前記第一斜めブロックとが当接しており、前記調節チャンバの底壁には調節軸が回転できるように設けられ、前記調節軸の上端には前記上傘歯車と噛合した下傘歯車が固定的に設けられ、前記調節チャンバの底壁にはトーションバネが固定的に設けられ、前記トーションバネの上端と前記調節軸の外円周面とが固定的に連結され、前記ノブチャンバの頂壁には第三スライド溝が設けられ、前記第三スライド溝の中には前記環状ノブがスライドできるように設けられ、前記環状ノブの中には中間板が固定的に設けられ、前記調節軸の下端が前記ノブチャンバの中に伸びて前記中間板の上端面と固定的に連結される。
【０００８】
優選の技術プランとして、前記復帰装置は前記支持台の中に設けられたツース盤チャンバを含み、前記ツース盤チャンバと前記ノブチャンバとが連通しており、前記ツース盤チャンバの中には前記環状ノブの下端面に固定的に連結された上歯ブロックが設けられ、前記ツース盤チャンバの底壁の中には下引き溝が設けられ、前記下引き溝の中には下引きロッドがスライドできるように設けられ、前記ツース盤チャンバの中には下引きロッドがスライドできるように設けられ、前記ツース盤チャンバの中には前記下引きロッドの上端に固定的に連結されたツース盤が設けられ、前記ツース盤の上端面には前記上歯ブロックと噛合した下ラックが固定的に設けられ、前記下引きロッドの下端面と前記下引き溝の底壁との間が復帰バネにより固定的に連結され、前記支持台の中には前記下引き溝と連通した連通チャンバが設けられ、前記支持台の左側端面の中には前記連通チャンバと連通している板スライド溝が設けられ、前記板スライド溝の中には復帰板がスライドできるように設けられ、前記連通チャンバの中には両端がそれぞれに前記復帰板と前記下引きロッドとに固定的に連結された連結ロッドが設けられる。
【０００９】
優選の技術プランとして、前記固定装置は前記支持台の左側端面に設けられた収納チャンバを含み、前記収納チャンバの右側内壁には回転軸が回転できるように設けられ、前記回転軸には吸着ブロックが固定的に設けられる。
【発明の効果】
【００１０】
本発明装置は構造が簡単で、使用が簡単で便利であり、本装置の中に設置された固定装置によりスマホンに固定でき、使用しない時に固定装置が収納でき、携帯することに便利であり、同時に本装置は伝動的な自撮り補光ライトの補光範囲が調節できないマイナスポイントを解決し、調節後、補光範囲がより大きく、使用者に多くの選択を提供する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の調節可能の自撮り補光ライトの全体構成略図
【図２】図２は図１のＡ―Ａの構成略図
【図３】図３は図１のＢ―Ｂの構成略図
【図４】図４は図１のＣ―Ｃの構成略図
【図５】図５は図３のＤ―Ｄの構成略図
【発明を実施するための形態】
【００１３】
図１〜５に示すように、本発明装置の調節可能の自撮り補光ライトは、支持台１０と前記支持台１０の上端に設置された補光箱１７とを含み、前記補光箱１７には光源装置１００が設けられ、前記光源装置１００は前記補光箱１７の左側端面に固定的に設置された複数組の固定ライト２２とスライド可能の調節ライト２１とを含み、前記補光箱１７の中には調節チャンバ１９が設けられ、前記調節チャンバ１９には前記調節ライト２１と連結された第一斜めブロック２４が設けられ、前記支持台１０の中にはノブチャンバ１１が設けられ、前記ノブチャンバ１１の中には調節装置２００が設けられ、前記調節装置２００は環状ノブ１２と、第二斜めブロック２３とを含み、前記環状ノブ１２を回す時に前記第二斜めブロック２３を回転連動させ、これにより前記第一斜めブロック２４をプッシュして運動させ、前記調節ライト２１を調整し、前記支持台１０の中には復帰装置３００が設けられ、前記復帰装置３００と前記調節装置２００とが係合され、前記復帰装置３００を調節することにより前記環状ノブ１２を復帰させ、これにより前記調節ライト２１を復帰連動させ、前記支持台１０の中には固定装置４００が設けられ、前記固定装置４００の中には吸着ブロック３１が設けられる。
【００１４】
有益的には、前記補光箱１７の左側端面の中には複数の第一スライド溝２５が設けられ、前記第一スライド溝２５の左側内壁には第二スライド溝２９が設けられ、前記第二スライド溝２９の中にはスライドブロック２６がスライドできるように設けられ、前記スライドブロック２６と前記第二スライド溝２９の底壁との間には押圧バネ２８が固定的に設けられ、前記スライドブロック２６の左側端面には調節ブロック２７が固定的に設けられ、前記調節ブロック２７の左側端面には前記調節ライト２１が固定的に設けられ、前記第一斜めブロック２４と前記調節ブロック２７とが固定的に連結される。
【００１５】
有益的には、前記調節装置２００は前記調節チャンバ１９の右側内壁に回転できるように設けられた回転軸１８を含み、前記回転軸１８には上傘歯車２０が固定的に設けられ、前記回転軸１８には数量が前記第一斜めブロック２４の数量と同じである前記第二斜めブロック２３が固定的に設けられ、前記第二斜めブロック２３と前記第一斜めブロック２４とが当接しており、前記調節チャンバ１９の底壁には調節軸１５が回転できるように設けられ、前記調節軸１５の上端には前記上傘歯車２０と噛合した下傘歯車１６が固定的に設けられ、前記調節チャンバ１９の底壁にはトーションバネ１４が固定的に設けられ、前記トーションバネ１４の上端と前記調節軸１５の外円周面とが固定的に連結され、前記ノブチャンバ１１の頂壁には第三スライド溝１３が設けられ、前記第三スライド溝１３の中には前記環状ノブ１２がスライドできるように設けられ、前記環状ノブ１２の中には中間板３０が固定的に設けられ、前記調節軸１５の下端が前記ノブチャンバ１１の中に伸びて前記中間板３０の上端面と固定的に連結される。
【００１６】
有益的には、前記復帰装置３００は前記支持台１０の中に設けられたツース盤チャンバ４２を含み、前記ツース盤チャンバ４２と前記ノブチャンバ１１とが連通しており、前記ツース盤チャンバ４２の中には前記環状ノブ１２の下端面に固定的に連結された上歯ブロック４１が設けられ、前記ツース盤チャンバ４２の底壁の中には下引き溝４５が設けられ、前記下引き溝４５の中には下引きロッド４４がスライドできるように設けられ、前記ツース盤チャンバ４２の中には下引きロッド４４がスライドできるように設けられ、前記ツース盤チャンバ４２の中には前記下引きロッド４４の上端に固定的に連結されたツース盤３９が設けられ、前記ツース盤３９の上端面には前記上歯ブロック４１と噛合した下ラック４０が固定的に設けられ、前記下引きロッド４４の下端面と前記下引き溝４５の底壁との間が復帰バネ３６により固定的に連結され、前記支持台１０の中には前記下引き溝４５と連通した連通チャンバ４６が設けられ、前記支持台１０の左側端面の中には前記連通チャンバ４６と連通している板スライド溝３７が設けられ、前記板スライド溝３７の中には復帰板３８がスライドできるように設けられ、前記連通チャンバ４６の中には両端がそれぞれに前記復帰板３８と前記下引きロッド４４とに固定的に連結された連結ロッド４３が設けられる。
【００１７】
有益的には、前記固定装置４００は前記支持台１０の左側端面に設けられた収納チャンバ３２を含み、前記収納チャンバ３２の右側内壁には回転軸３３が回転できるように設けられ、前記回転軸３３には吸着ブロック３１が固定的に設けられる。
【００１８】
前記の調節可能の自撮り補光ライトの実現方法は、以下のステップを含む：
【００１９】
使用する時、前記吸着ブロック３１を回し出してスマホンの適当の位置に吸着させ、前記固定ライト２２と前記調節ライト２１とをつけて補光し、範囲を拡大する時、前記環状ノブ１２を回し、前記中間板３０と、前記調節軸１５と、前記下傘歯車１６と、前記上傘歯車２０とにより前記回転軸１８を回転連動させ、前記回転軸１８が前記第二斜めブロック２３を回転連動させ、これにより前記第一斜めブロック２４に前記調節ブロック２７を押し動かして伸び出し、これにより補光範囲の拡大を実現する。
【００２０】
使用した後、前記吸着ブロック３１を前記収納チャンバ３２の中まで回して収納し、前記復帰板３８を下へスライドさせ、前記連結ロッド４３と前記下引きロッド４４とにより前記ツース盤３９を降下させ、前記ツース盤３９が前記下ラック４０を連動させて前記上歯ブロック４１から離脱させ、前記環状ノブ１２が前記トーションバネ１４の作用により復帰し、前記押圧バネ２８が回復し前記スライドブロック２６により前記調節ブロック２７を前記第一スライド溝２５の中に連動させて回収し、この時前記復帰板３８を解放し、前記復帰バネ３６が前記下引きロッド４４を押し、前記連結ロッド４３により前記復帰板３８を復帰させる。
【００２１】
上記のように、本発明装置は構造が簡単で、使用が簡単で便利であり、本装置の中に設置された固定装置によりスマホンに固定でき、使用しない時に固定装置が収納でき、携帯することに便利であり、同時に本装置は伝動的な自撮り補光ライトの補光範囲が調節できないマイナスポイントを解決し、調節後、補光範囲がより大きく、使用者に多くの選択を提供する。
【００２２】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177207.tif 000003
【図２】
2020177207.tif 000004
【図３】
2020177207.tif 000005
【図４】
2020177207.tif 000006
【図５】
2020177207.tif 000007
【手続補正書】
【提出日】令和1年7月23日(2019.7.23)
【手続補正１】
【補正対象書類名】特許請求の範囲
【補正対象項目名】請求項２
【補正方法】変更
【補正の内容】
【請求項２】
前記補光箱の左側端面の中には複数の第一スライド溝が設けられ、前記第一スライド溝の右側内壁には第二スライド溝が設けられ、前記第二スライド溝の中にはスライドブロックがスライドできるように設けられ、前記スライドブロックと前記第二スライド溝の底壁との間には押圧バネが固定的に設けられ、前記スライドブロックの左側端面には調節ブロックが固定的に設けられ、前記調節ブロックの左側端面には前記調節ライトが固定的に設けられ、前記第一斜めブロックと前記調節ブロックとが固定的に連結されることを特徴とする請求項１に記載の調節可能の自撮り補光ライト。
【手続補正２】
【補正対象書類名】明細書
【補正対象項目名】全文
【補正方法】変更
【補正の内容】
【発明の詳細な説明】
【技術分野】
【０００１】
本発明は補光ライト分野を取り上げて、具体的には調節可能の自撮り補光ライトである。
【背景技術】
【０００２】
スマホンの普及と共に、人々が自撮りに対する要求もより高くなり、しかし一部分の特殊な場所で、例えばカラオケや、ディスコテークや、静かな小道などでは、光が足りなく、こういう暗い場所で撮った写真に皮膚が黒ずんでざらざらに見え、また写真がはっきりしなく、細かいところがなく、人全体が気質を失い、充分の光がある環境では、白い皮膚により他の不細工なところの影響が減り、顔にあるそばかすや痘痕などのマイナスポイントを弱化でき、そのため、自撮り補光ライトが誕生し、伝統的なスマホ自撮り補光ライトは一般的に固定範囲内の補光を完成することしかできなく、範囲調節ができなく、上記の不足により自撮り補光ライトを提出する。
【先行技術文献】
【特許文献】
【０００３】
【特許文献１】中国特許出願公開第105276471号明細書
【発明の概要】
【発明が解決しようとする課題】
【０００４】
本発明の目的は調節可能の自撮り補光ライトを提供し、それは上記の現在の技術中の問題を解決できる。
【課題を解決するための手段】
【０００５】
本発明装置の調節可能の自撮り補光ライトは、支持台と前記支持台の上端に設置された補光箱とを含み、前記補光箱には光源装置が設けられ、前記光源装置は前記補光箱の左側端面に固定的に設置された複数組の固定ライトとスライド可能の調節ライトとを含み、前記補光箱の中には調節チャンバが設けられ、前記調節チャンバには前記調節ライトと連結された第一斜めブロックが設けられ、前記支持台の中にはノブチャンバが設けられ、前記ノブチャンバの中には調節装置が設けられ、前記調節装置は環状ノブと、第二斜めブロックとを含み、前記環状ノブを回す時に前記第二斜めブロックを回転連動させ、これにより前記第一斜めブロックをプッシュして運動させ、前記調節ライトを調整し、前記支持台の中には復帰装置が設けられ、前記復帰装置と前記調節装置とが係合され、前記復帰装置を調節することにより前記環状ノブを復帰させ、これにより前記調節ライトを復帰連動させ、前記支持台の中には固定装置が設けられ、前記固定装置の中には吸着ブロックが設けられる。
【０００６】
優選の技術プランとして、前記補光箱の左側端面の中には複数の第一スライド溝が設けられ、前記第一スライド溝の右側内壁には第二スライド溝が設けられ、前記第二スライド溝の中にはスライドブロックがスライドできるように設けられ、前記スライドブロックと前記第二スライド溝の底壁との間には押圧バネが固定的に設けられ、前記スライドブロックの左側端面には調節ブロックが固定的に設けられ、前記調節ブロックの左側端面には前記調節ライトが固定的に設けられ、前記第一斜めブロックと前記調節ブロックとが固定的に連結される。
【０００７】
優選の技術プランとして、前記調節装置は前記調節チャンバの右側内壁に回転できるように設けられた回転軸を含み、前記回転軸には上傘歯車が固定的に設けられ、前記回転軸には数量が前記第一斜めブロックの数量と同じである前記第二斜めブロックが固定的に設けられ、前記第二斜めブロックと前記第一斜めブロックとが当接しており、前記調節チャンバの底壁には調節軸が回転できるように設けられ、前記調節軸の上端には前記上傘歯車と噛合した下傘歯車が固定的に設けられ、前記調節チャンバの底壁にはトーションバネが固定的に設けられ、前記トーションバネの上端と前記調節軸の外円周面とが固定的に連結され、前記ノブチャンバの頂壁には第三スライド溝が設けられ、前記第三スライド溝の中には前記環状ノブがスライドできるように設けられ、前記環状ノブの中には中間板が固定的に設けられ、前記調節軸の下端が前記ノブチャンバの中に伸びて前記中間板の上端面と固定的に連結される。
【０００８】
優選の技術プランとして、前記復帰装置は前記支持台の中に設けられたツース盤チャンバを含み、前記ツース盤チャンバと前記ノブチャンバとが連通しており、前記ツース盤チャンバの中には前記環状ノブの下端面に固定的に連結された上歯ブロックが設けられ、前記ツース盤チャンバの底壁の中には下引き溝が設けられ、前記下引き溝の中には下引きロッドがスライドできるように設けられ、前記ツース盤チャンバの中には下引きロッドがスライドできるように設けられ、前記ツース盤チャンバの中には前記下引きロッドの上端に固定的に連結されたツース盤が設けられ、前記ツース盤の上端面には前記上歯ブロックと噛合した下ラックが固定的に設けられ、前記下引きロッドの下端面と前記下引き溝の底壁との間が復帰バネにより固定的に連結され、前記支持台の中には前記下引き溝と連通した連通チャンバが設けられ、前記支持台の左側端面の中には前記連通チャンバと連通している板スライド溝が設けられ、前記板スライド溝の中には復帰板がスライドできるように設けられ、前記連通チャンバの中には両端がそれぞれに前記復帰板と前記下引きロッドとに固定的に連結された連結ロッドが設けられる。
【０００９】
優選の技術プランとして、前記固定装置は前記支持台の左側端面に設けられた収納チャンバを含み、前記収納チャンバの右側内壁には回転軸が回転できるように設けられ、前記回転軸には吸着ブロックが固定的に設けられる。
【発明の効果】
【００１０】
本発明装置は構造が簡単で、使用が簡単で便利であり、本装置の中に設置された固定装置によりスマホンに固定でき、使用しない時に固定装置が収納でき、携帯することに便利であり、同時に本装置は伝動的な自撮り補光ライトの補光範囲が調節できないマイナスポイントを解決し、調節後、補光範囲がより大きく、使用者に多くの選択を提供する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の調節可能の自撮り補光ライトの全体構成略図
【図２】図２は図１のＡ―Ａの構成略図
【図３】図３は図１のＢ―Ｂの構成略図
【図４】図４は図１のＣ―Ｃの構成略図
【図５】図５は図３のＤ―Ｄの構成略図
【発明を実施するための形態】
【００１３】
図１〜５に示すように、本発明装置の調節可能の自撮り補光ライトは、支持台１０と前記支持台１０の上端に設置された補光箱１７とを含み、前記補光箱１７には光源装置１００が設けられ、前記光源装置１００は前記補光箱１７の左側端面に固定的に設置された複数組の固定ライト２２とスライド可能の調節ライト２１とを含み、前記補光箱１７の中には調節チャンバ１９が設けられ、前記調節チャンバ１９には前記調節ライト２１と連結された第一斜めブロック２４が設けられ、前記支持台１０の中にはノブチャンバ１１が設けられ、前記ノブチャンバ１１の中には調節装置２００が設けられ、前記調節装置２００は環状ノブ１２と、第二斜めブロック２３とを含み、前記環状ノブ１２を回す時に前記第二斜めブロック２３を回転連動させ、これにより前記第一斜めブロック２４をプッシュして運動させ、前記調節ライト２１を調整し、前記支持台１０の中には復帰装置３００が設けられ、前記復帰装置３００と前記調節装置２００とが係合され、前記復帰装置３００を調節することにより前記環状ノブ１２を復帰させ、これにより前記調節ライト２１を復帰連動させ、前記支持台１０の中には固定装置４００が設けられ、前記固定装置４００の中には吸着ブロック３１が設けられる。
【００１４】
有益的には、前記補光箱１７の左側端面の中には複数の第一スライド溝２５が設けられ、前記第一スライド溝２５の右側内壁には第二スライド溝２９が設けられ、前記第二スライド溝２９の中にはスライドブロック２６がスライドできるように設けられ、前記スライドブロック２６と前記第二スライド溝２９の底壁との間には押圧バネ２８が固定的に設けられ、前記スライドブロック２６の左側端面には調節ブロック２７が固定的に設けられ、前記調節ブロック２７の左側端面には前記調節ライト２１が固定的に設けられ、前記第一斜めブロック２４と前記調節ブロック２７とが固定的に連結される。
【００１５】
有益的には、前記調節装置２００は前記調節チャンバ１９の右側内壁に回転できるように設けられた回転軸１８を含み、前記回転軸１８には上傘歯車２０が固定的に設けられ、前記回転軸１８には数量が前記第一斜めブロック２４の数量と同じである前記第二斜めブロック２３が固定的に設けられ、前記第二斜めブロック２３と前記第一斜めブロック２４とが当接しており、前記調節チャンバ１９の底壁には調節軸１５が回転できるように設けられ、前記調節軸１５の上端には前記上傘歯車２０と噛合した下傘歯車１６が固定的に設けられ、前記調節チャンバ１９の底壁にはトーションバネ１４が固定的に設けられ、前記トーションバネ１４の上端と前記調節軸１５の外円周面とが固定的に連結され、前記ノブチャンバ１１の頂壁には第三スライド溝１３が設けられ、前記第三スライド溝１３の中には前記環状ノブ１２がスライドできるように設けられ、前記環状ノブ１２の中には中間板３０が固定的に設けられ、前記調節軸１５の下端が前記ノブチャンバ１１の中に伸びて前記中間板３０の上端面と固定的に連結される。
【００１６】
有益的には、前記復帰装置３００は前記支持台１０の中に設けられたツース盤チャンバ４２を含み、前記ツース盤チャンバ４２と前記ノブチャンバ１１とが連通しており、前記ツース盤チャンバ４２の中には前記環状ノブ１２の下端面に固定的に連結された上歯ブロック４１が設けられ、前記ツース盤チャンバ４２の底壁の中には下引き溝４５が設けられ、前記下引き溝４５の中には下引きロッド４４がスライドできるように設けられ、前記ツース盤チャンバ４２の中には下引きロッド４４がスライドできるように設けられ、前記ツース盤チャンバ４２の中には前記下引きロッド４４の上端に固定的に連結されたツース盤３９が設けられ、前記ツース盤３９の上端面には前記上歯ブロック４１と噛合した下ラック４０が固定的に設けられ、前記下引きロッド４４の下端面と前記下引き溝４５の底壁との間が復帰バネ３６により固定的に連結され、前記支持台１０の中には前記下引き溝４５と連通した連通チャンバ４６が設けられ、前記支持台１０の左側端面の中には前記連通チャンバ４６と連通している板スライド溝３７が設けられ、前記板スライド溝３７の中には復帰板３８がスライドできるように設けられ、前記連通チャンバ４６の中には両端がそれぞれに前記復帰板３８と前記下引きロッド４４とに固定的に連結された連結ロッド４３が設けられる。
【００１７】
有益的には、前記固定装置４００は前記支持台１０の左側端面に設けられた収納チャンバ３２を含み、前記収納チャンバ３２の右側内壁には回転軸３３が回転できるように設けられ、前記回転軸３３には吸着ブロック３１が固定的に設けられる。
【００１８】
前記の調節可能の自撮り補光ライトの実現方法は、以下のステップを含む：
【００１９】
使用する時、前記吸着ブロック３１を回し出してスマホンの適当の位置に吸着させ、前記固定ライト２２と前記調節ライト２１とをつけて補光し、範囲を拡大する時、前記環状ノブ１２を回し、前記中間板３０と、前記調節軸１５と、前記下傘歯車１６と、前記上傘歯車２０とにより前記回転軸１８を回転連動させ、前記回転軸１８が前記第二斜めブロック２３を回転連動させ、これにより前記第一斜めブロック２４に前記調節ブロック２７を押し動かして伸び出し、これにより補光範囲の拡大を実現する。
【００２０】
使用した後、前記吸着ブロック３１を前記収納チャンバ３２の中まで回して収納し、前記復帰板３８を下へスライドさせ、前記連結ロッド４３と前記下引きロッド４４とにより前記ツース盤３９を降下させ、前記ツース盤３９が前記下ラック４０を連動させて前記上歯ブロック４１から離脱させ、前記環状ノブ１２が前記トーションバネ１４の作用により復帰し、前記押圧バネ２８が回復し前記スライドブロック２６により前記調節ブロック２７を前記第一スライド溝２５の中に連動させて回収し、この時前記復帰板３８を解放し、前記復帰バネ３６が前記下引きロッド４４を押し、前記連結ロッド４３により前記復帰板３８を復帰させる。
【００２１】
上記のように、本発明装置は構造が簡単で、使用が簡単で便利であり、本装置の中に設置された固定装置によりスマホンに固定でき、使用しない時に固定装置が収納でき、携帯することに便利であり、同時に本装置は伝動的な自撮り補光ライトの補光範囲が調節できないマイナスポイントを解決し、調節後、補光範囲がより大きく、使用者に多くの選択を提供する。
【００２２】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。